(57)【要約】【課題】第１の信号を転送するための第２の回線を自動設定できる伝送装置等を提供する。【解決手段】伝送装置は、複数の第１の通信部と、第２の通信部と、判定部と、設定部とを有する。第１の通信部は、第１の信号を伝送する第１の回線と接続する。第２の通信部は、第１の信号を挿入可能にする第２の信号を伝送する第２の回線と接続する。判定部は、第１の通信部にて第１の信号のデータ量が所定閾値を超えたか否かを判定する。設定部は、第１の信号のデータ量が所定閾値を超えた場合に、第１の信号内の宛先情報に基づき、第２の通信部にて、第１の信号を転送する第２の回線を設定する。【選択図】図３
2017017627.tif 000002
【特許請求の範囲】
【請求項１】
第１の信号を伝送する第１の回線と接続する複数の第１の通信部と、
前記第１の信号を挿入可能にする第２の信号を伝送する第２の回線と接続する第２の通信部と、
前記第１の通信部にて前記第１の信号のデータ量が所定閾値を超えたか否かを判定する判定部と、
前記第１の信号のデータ量が前記所定閾値を超えた場合に、前記第１の信号内の宛先情報に基づき、前記第２の通信部にて、前記第１の信号を転送する前記第２の回線を設定する設定部と
を有することを特徴とする伝送装置。
【請求項２】
前記第１の信号のデータ量が前記所定閾値を超えた場合に、前記第１の信号のデータ量が前記第２の回線の空き容量未満であるか否かを判定する第１の判定部を更に有し、
前記設定部は、
前記第１の判定部にて前記第１の信号のデータ量が前記第２の回線の空き容量未満の場合に、前記第１の信号内の宛先情報に基づき、前記第２の通信部にて、前記第１の信号を転送すべく、前記第２の回線に設定することを特徴とする請求項１に記載の伝送装置。
【請求項３】
前記設定部は、
前記第１の信号内の宛先情報を前記第２の信号内に挿入し、前記第１の信号の宛先情報を挿入した前記第２の信号に関わる設定要求を対向側の伝送装置に送信し、前記対向側の伝送装置から前記設定要求に対する応答を受信した場合に、前記第１の信号を転送する前記第２の回線を設定することを特徴とする請求項１又は２に記載の伝送装置。
【請求項４】
前記第１の回線の前記第１の信号のデータ量を前記第１の信号内の宛先情報毎に監視する監視部を更に有することを特徴とする請求項１〜３の何れか一つに記載の伝送装置。
【請求項５】
前記設定部は、
前記第１の信号内の宛先情報に基づき、前記第１の信号を転送すべく、前記第２の回線に設定中に、前記判定部にて前記第１の信号のデータ量が所定閾値を超えなくなった場合に、前記第１の信号を前記第２の回線から前記第１の回線に切り替えるべく、前記第１の信号を前記第１の回線に設定することを特徴とする請求項１〜４の何れか一つに記載の伝送装置。
【請求項６】
前記第１の回線と前記第２の回線とを同一トポロジで接続する伝送システム内に配置したことを特徴とする請求項１〜５の何れか一つに記載の伝送装置。
【請求項７】
前記第１の通信部は、
前記第１の信号としてパケットを伝送する、前記第１の回線としてのパケット網と接続すると共に、
前記第２の通信部は、
前記第２の信号としてＯＴＮフレームを伝送する、前記第２の回線としてのＯＴＮ網と接続することを特徴とする請求項１〜６の何れか一つに記載の伝送装置。
【請求項８】
第１の信号を伝送する第１の回線と接続する複数の第１の通信部と、前記第１の信号を挿入可能にする第２の信号を伝送する第２の回線と接続する第２の通信部とを有する伝送装置の伝送方法であって、
前記伝送装置は、
前記第１の通信部にて前記第１の信号のデータ量が所定閾値を超えたか否かを判定し、
前記第１の信号のデータ量が前記所定閾値を超えた場合に、前記第１の信号内の宛先情報に基づき、前記第２の通信部にて、前記第１の信号を転送する前記第２の回線を設定する
処理を実行することを特徴とする伝送方法。
【請求項９】
第１の信号を伝送する第１の回線と接続する複数の第１の通信部と、前記第１の信号を挿入可能にする第２の信号を伝送する第２の回線と接続する第２の通信部とを備えた複数の伝送装置を有する伝送システムであって、
各伝送装置は、
前記第１の通信部にて前記第１の信号のデータ量が所定閾値を超えたか否かを判定する判定部と、
前記第１の信号のデータ量が前記所定閾値を超えた場合に、前記第１の信号内の宛先情報を前記第２の信号内に挿入し、前記第１の信号の宛先情報を挿入した前記第２の信号に関わる設定要求を対向側の伝送装置に送信すると共に、前記対向側の伝送装置から前記設定要求に対する応答を受信した場合に、前記第１の信号を転送する前記第２の回線を設定する設定部と
を有することを特徴とする伝送システム。
【発明の詳細な説明】
【技術分野】
【０００１】
本発明は、伝送装置、伝送方法及び伝送システムに関する。
【背景技術】
【０００２】
ＩＥＥＥ（Institute  of  Electrical  and  Electronic  Engineers）及びＩＴＵ−Ｔ（International  Telecommunication  Union−Telecommunication）Ｇ.７０９規格に示されるＯＴＮ（Optical  Transport  Network）伝送方式が標準化されている。ＯＴＮは、光ネットワーク（ＮＷ：Network）へ流入するクライアント信号をＯＴＵ（Optical  channel  Transport  Unit）に格納して伝送する方式である。ＯＴＮは、ＷＤＭ(Wavelength  Division  Multiplexing)技術を適用した光ＮＷにおいて、種類の異なるクライアント信号をトランスペアレントに伝送できる技術である。
【０００３】
近年、ＣＡＰＥＸ(設備投資)とＯＰＥＸ(運用コスト)を抑えるため、ＷＤＭ(Layer  0)、ＯＴＮ(Layer  1)やパケット(Layer  2)をサポートするマルチレイヤの伝送装置が開発されている。伝送装置は、受信パケットをビット当たりの伝送単価が低いＯＴＮパス経由で宛先に転送することも可能である。
【０００４】
パケットＮＷでは、各伝送装置が宛先ＭＡＣアドレス毎に転送先を管理するＭＡＣテーブルを生成し、ＭＡＣテーブルを参照して、宛先ＭＡＣアドレスに応じた転送先にパケットを転送する。また、ＯＴＮＮＷでは、管理装置でＮＷ内の各伝送装置を集中管理し、管理者の設定でＯＴＮパスを設定し、その設定したＯＴＮパスでＯＴＮフレームを伝送する。
【先行技術文献】
【特許文献】
【０００５】
【特許文献１】特開２０１３−１０６１５３号公報
【発明の概要】
【発明が解決しようとする課題】
【０００６】
パケットＮＷとＯＴＮＮＷとを同一トポロジのＮＷで構築した伝送システム内の各伝送装置では、受信パケットをパケットパスではなく、ＯＴＮパスで伝送することも可能になる。しかしながら、ＯＴＮパスを自動設定するのは困難である。しかも、伝送システム内の伝送装置の数が増加するに連れて、その処理負荷が大きくなる。
【０００７】
一つの側面では、パケットを転送するためのＯＴＮパスを自動設定できる伝送装置、伝送方法及び伝送システムを提供することを目的とする。
【課題を解決するための手段】
【０００８】
一つの案の伝送装置は、複数の第１の通信部と、第２の通信部と、判定部と、設定部とを有する。第１の通信部は、第１の信号を伝送する第１の回線と接続する。第２の通信部は、第１の信号を挿入可能にする第２の信号を伝送する第２の回線と接続する。判定部は、第１の通信部にて前記第１の信号のデータ量が所定閾値を超えたか否かを判定する。設定部は、第１の信号のデータ量が所定閾値を超えた場合に、第１の信号内の宛先情報に基づき、第２の通信部にて、第１の信号を転送する第２の回線を設定する。
【発明の効果】
【０００９】
第１の信号を転送するための第２の回線を自動設定できる。
【図面の簡単な説明】
【００１０】
【図１】図１は、本実施例の伝送システムの一例を示す説明図である。
【図２】図２は、伝送装置のハードウェア構成の一例を示すブロック図である。
【図３】図３は、伝送装置の機能構成の一例を示す説明図である。
【図４】図４は、ＭＡＣテーブルの一例を示す説明図である。
【図５】図５は、変換テーブルの一例を示す説明図である。
【図６】図６は、ＯＴＮフレームのフォーマット構成の一例を示す説明図である。
【図７】図７は、パケットＮＷの受信パケットをＯＴＮパスで転送する際の動作の一例を示す説明図である。
【図８】図８は、パス確認処理に関わる各伝送装置の処理動作の一例を示すシーケンスである。
【図９】図９は、パス設定処理に関わる各伝送装置の処理動作の一例を示すシーケンスである。
【図１０】図１０は、パス削除処理に関わる各伝送装置の処理動作の一例を示すシーケンスである。
【図１１】図１１は、始点側設定処理に関わる伝送装置の処理動作の一例を示すフローチャートである。
【図１２】図１２は、始点側転送処理に関わる伝送装置の処理動作の一例を示すフローチャートである。
【図１３】図１３は、中継点側設定処理に関わる伝送装置の処理動作の一例を示すフローチャートである。
【図１４】図１４は、終点側設定処理に関わる伝送装置の処理動作の一例を示すフローチャートである。
【発明を実施するための形態】
【００１１】
以下、図面に基づいて、本願の開示する伝送装置、伝送方法及び伝送システムの実施例を詳細に説明する。尚、本実施例により、開示技術が限定されるものではない。また、以下に示す各実施例は、矛盾を起こさない範囲で適宜組み合わせても良い。
【実施例】
【００１２】
図１は、本実施例の伝送システム１の一例を示す説明図である。図１に示す伝送システム１は、パケットを格納したフレームを伝送するパケットＮＷ２と、ＯＴＮフレームを伝送するＯＴＮＮＷ３とを有し、パケットＮＷ２とＯＴＮＮＷ３とを同一トポロジのＮＷで構築したシステムである。パケットＮＷ２は、第１の信号であるフレームを伝送する第１の回線であるパケットパスで接続して構成するＬ２(Layer 2)のＮＷである。ＯＴＮＮＷ３は、パケットを挿入可能にする第２の信号であるＯＴＮフレームを伝送する第２の回線であるＯＴＮパスで接続して構成するＬ１(Layer 1)のＮＷである。
【００１３】
伝送システム１は、パケットＮＷ２及びＯＴＮＮＷ３を光ファイバ５で接続する複数の伝送装置４、例えば、第１の伝送装置４Ａ、第２の伝送装置４Ｂ、第３の伝送装置４Ｃ、第４の伝送装置４Ｄ及び第５の伝送装置４Ｅの５台の伝送装置４を有する。
【００１４】
図２は、伝送装置４のハードウェア構成の一例を示すブロック図である。尚、説明の便宜上、伝送装置４として説明するが、第１〜第５の伝送装置４Ａ〜４Ｅは同一の構成であるため、同一の構成には同一符号を付すことで、その重複する構成及び動作の説明については省略する。
【００１５】
図２に示す伝送装置４は、複数枚のパケットカード１１と、複数枚のＯＴＮカード１２と、ＳＷ（Switch）カード１３と、ＣＰＵ(Central  Processing  Unit)カード１４とを有する。パケットカード１１は、パケットＮＷ２との通信インタフェースを実装したカードである。尚、説明の便宜上、パケットカード１１は、例えば、第１のパケットカード１１Ａ及び第２のパケットカード１１Ｂの２枚である。ＯＴＮカード１２は、ＯＴＮＮＷ３との通信インタフェースを実装したカードである。尚、説明の便宜上、ＯＴＮカード１２は、例えば、第１のＯＴＮカード１２Ａ及び第２のＯＴＮカード１２Ｂの２枚である。
【００１６】
ＳＷカード１３は、パケットカード１１同士、ＯＴＮカード１２同士若しくは、パケットカード１１とＯＴＮカード１２との間を切替接続するスイッチを実装したカードである。ＳＷカード１３は、第１のパケットカード１１Ａと第２のパケットカード１１Ｂとの間を接続し、パケットＮＷ２内のパケットパスでフレームを伝送する。ＳＷカード１３は、第１のＯＴＮカード１２Ａと第２のＯＴＮカード１２Ｂとの間を接続し、ＯＴＮＮＷ３内のＯＴＮパスでＯＴＮフレームを伝送する。また、ＳＷカード１３は、例えば、第１のパケットカード１１Ａと第２のＯＴＮカード１２Ｂとの間、又は第２のパケットカード１１Ｂと第１のＯＴＮカード１２Ａとの間を切替接続する。ＣＰＵカード１４は、伝送装置４全体を制御するＣＰＵを実装したカードである。
【００１７】
伝送装置４は、スロット番号＃１のスロット内に第１のパケットカード１１Ａ、スロット番号＃２のスロット内に第１のＯＴＮカード１２Ａを装着している。更に、伝送装置４は、スロット番号＃３のスロット内に第２のパケットカード１１Ｂ、スロット番号＃４のスロット内に第２のＯＴＮカード１２Ｂを装着している。
【００１８】
図３は、伝送装置４の機能構成の一例を示す説明図である。図３に示すパケットカード１１は、パケット通信部２１と、パケット処理部２２とを有する。パケット通信部２１は、パケットＮＷ２と接続してパケット通信を実行する通信部である。パケット処理部２２は、各種パケット通信に関わるパケット処理を実行する処理部である。ＯＴＮカード１２は、ＯＴＮ通信部３１と、ＯＴＮ処理部３２とを有する。ＯＴＮ通信部３１は、ＯＴＮＮＷ３と接続してＯＴＮ通信を実行する通信部である。ＯＴＮ処理部３２は、各種ＯＴＮ通信に関わるフレーム処理を実行する処理部である。ＳＷカード１３は、マトリックススイッチ１３Ａを有する。マトリックススイッチ１３Ａは、パケット処理部２２同士、ＯＴＮ処理部３２同士、パケット処理部２２とＯＴＮ処理部３２との間を切替接続するスイッチである。
【００１９】
ＣＰＵカード１４は、流量モニタ部４１と、ＯＴＮモニタ部４２と、記憶部４３と、制御部４４とを有する。流量モニタ部４１は、パケットカード１１内のパケット通信部２１と接続し、受信フレーム内の宛先ＭＡＣアドレス毎のパケットの流量、すなわちデータ量を測定する。ＯＴＮモニタ部４２は、ＯＴＮ通信部３１を通じてＯＴＮパスの空き容量をモニタする。記憶部４３は、ＭＡＣテーブル４３Ａと、変換テーブル４３Ｂと、設定テーブル４３Ｃとを有する。
【００２０】
図４は、ＭＡＣテーブル４３Ａの一例を示す説明図である。図４に示すＭＡＣテーブル４３Ａは、パケットの宛先ＭＡＣアドレス毎に転送先のパケットカード１１を識別する識別情報を管理している。尚、識別情報は、例えば、パケットカード１１を装着するスロットのスロット番号及びポート番号を有する。制御部４４は、受信パケット内の宛先ＭＡＣアドレスを抽出した場合、ＭＡＣテーブル４３Ａを参照し、抽出した宛先ＭＡＣアドレスに対応する、当該パケットを転送すべき転送先のパケットカード１１のスロット番号及びポート番号を認識する。
【００２１】
図５は、変換テーブル４３Ｂの一例を示す説明図である。図５に示す変換テーブル４３Ｂは、抽出した転送先のパケットカード１１を転送先のＯＴＮカード１２に変換するテーブルである。変換テーブル４３Ｂは、受信パケットの転送先のパケットカード１１のスロット番号及びポート番号と、転送先のＯＴＮカード１２のスロット番号及びポート番号とを対応付けて管理している。制御部４４は、受信パケットをＯＴＮパスで転送する際、変換テーブル４３Ｂを参照し、受信パケット内の宛先ＭＡＣアドレスの転送先のパケットカード１１に対応したＯＴＮカード１２のスロット番号及びポート番号を認識する。設定テーブル４３Ｃは、ＯＴＮパスに関わる各種情報を記憶する。尚、各種情報は、例えば、パス確認要求の場合、そのリクエスト番号、ＯＤＵ種別、送信元ＭＡＣアドレス、宛先ＭＡＣアドレス、受信ポート番号等である。
【００２２】
制御部４４は、ＣＰＵカード１４全体を制御する。制御部４４は、第１の判定部５１と、第２の判定部５２と、設定部５３とを有する。第１の判定部５１は、流量モニタ部４１にて測定した受信パケットの流量が所定閾値を超えたか否かを判定する。第２の判定部５２は、受信パケットの流量が所定閾値を超えた場合に、受信パケットの流量が設定可能なＯＴＮパスの空き容量未満であるか否かを判定する。設定部５３は、ＭＡＣテーブル４３Ａを参照し、受信パケットの宛先ＭＡＣアドレスに対応する転送先のパケットカード１１を抽出する。更に、設定部５３は、受信パケットの流量が設定可能なＯＴＮパスの空き容量未満の場合、変換テーブル４３Ｂを参照し、転送先のパケットカード１１に対応する転送先のＯＴＮカード１２を抽出する。そして、設定部５３は、抽出した転送先のＯＴＮカード１２を通じて、転送先のＯＴＮパスを設定する。
【００２３】
また、設定部５３は、受信パケットの流量が設定可能なＯＴＮパスの空き容量未満でない場合、ＭＡＣテーブル４３Ａを参照し、受信パケットの宛先ＭＡＣアドレスに対応した転送先のパケットカード１１を抽出する。そして、設定部５３は、抽出した転送先のパケットカード１１を通じて、転送先のパケットパスで受信パケットを伝送する。また、設定部５３は、受信パケットをＯＴＮパスで転送中に、受信パケットの流量が所定閾値を超えなくなった場合、設定中のＯＴＮパスを削除し、受信パケットを転送先のパケットカード１１のパケットパスに切替えて伝送する。
【００２４】
図６は、ＯＴＮフレームのフォーマット構成の一例を示す説明図である。図６に示すＯＴＮフレーム６０は、ＯＨ領域６１と、ペイロード領域６２とを有する。ＯＨ領域６１は、１列目〜１６列目の１６バイト×４行のフレームサイズであって、各種ＯＨ（Overhead）を格納する領域である。ペイロード領域６２は、１７列目〜３８２４列目の３８０８バイト×４行のフレームサイズであって、各種データを格納する領域である。
【００２５】
ＯＨ領域６１には、１行目の１列目〜７列目のフレーム同期ＯＨ（Frame  Alignment  OH）と、１行目の８列目〜１４列目のＯＴＵＯＨと、２行目〜４行目の１列目〜１４列目のＯＤＵＯＨと、１行目〜４行目の１５列目〜１６列目のＯＰＵＯＨとを有する。ＯＴＵＯＨは、ＯＴＵのＯＨ領域である。ＯＤＵＯＨは、ＯＤＵのＯＨ領域である。ＯＰＵＯＨは、ＯＰＵのＯＨ領域である。
【００２６】
フレーム同期ＯＨは、ＦＡＳ(Frame  Alignment  Signal)と、ＭＦＡＳ（Multi  Frame  Alignment  Signal）とを有する。ＦＡＳは、フレーム同期信号である。ＭＦＡＳは、マルチフレームの同期を検出するマルチフレーム同期信号である。ＯＴＵＯＨは、ＳＭ(Section  Monitoring)と、ＧＣＣ(General  Communication  Chanel)０と、ＲＥＳ(Reserved  for  future  international  standardization)とを有する。ＳＭは、ＯＴＵ終端点同士のモニタ状態を示す情報である。ＧＣＣ０は、ＯＴＵ終端点同士の通信チャネルをサポートするための情報である。
【００２７】
ＯＤＵＯＨは、ＲＥＳ６３と、ＴＣＭＡＣＴ(Tandem  Connection  Monitoring  Activation)と、ＴＣＭ１〜６と、ＦＴＦＬ(Fault  Type  &  Fault  Location  reporting  channel)と、ＰＭ(Path  Monitoring)と、ＥＸＰ(Experimental)とを有する。更に、ＯＤＵＯＨは、ＧＣＣ１〜２と、ＡＰＳ(Automatic  Protection  Switching)／ＰＣＣ(Protection  Communication  Control  channel)とを有する。ＴＣＭＡＣＴは、タンデムコネクション監視をアクティブ状態にするか否かを識別する情報である。ＦＴＦＬは、故障タイプ及び故障位置を通知するための情報である。ＰＭは、パス状態を監視した情報である。ＥＸＰは、試験用であるか否かを識別する情報である。ＡＰＳ／ＰＣＣは、自動予備切替及び切替通信チャネルである。
【００２８】
ＯＤＵＯＨ内のＲＥＳ６３は、リクエスト種別(Request  Type)６３Ａと、リクエスト番号（Request  Number）６３Ｂと、ＲＥＳ６３Ｃとを格納するReservation領域である。リクエスト種別６３Ａは、リクエストの種別を示し、例えば、パス確認要求の場合は“０”、パス確認応答の場合は“１”である。また、リクエスト種別６３Ａは、パス設定要求の場合は“２”、パス設定応答の場合は“３”、パス削除要求の場合は“４”である。ＲＥＳ６３Ｃは、各種情報を格納可能にし、ＯＤＵ種別の場合は“０”、送信元ＭＡＣアドレスの場合は“１”、宛先ＭＡＣアドレスの場合は“２”、ＴＳ番号が１〜６４の場合は“３”、ＴＳ番号が６５〜１２８の場合は“４”である。
【００２９】
次に本実施例の伝送システム１の動作について説明する。第１の伝送装置４Ａは、パケットＮＷ２経由で受信フレームを第３の伝送装置４Ｃに伝送する際、例えば、第４の伝送装置４Ｄ→第５の伝送装置４Ｅ→第３の伝送装置４Ｃの経路のパケットパスで接続する。その結果、第１の伝送装置４Ａは、パケットＮＷ２経由で受信フレームを第３の伝送装置４Ｃに伝送できる。また、第１の伝送装置４Ａは、ＯＴＮＮＷ３経由でＯＴＮフレームを第３の伝送装置４Ｃに伝送する際、例えば、第４の伝送装置４Ｄ→第５の伝送装置４Ｅ→第３の伝送装置４Ｃの経路のＯＴＮパスで接続する。その結果、第１の伝送装置４Ａは、ＯＴＮＮＷ３経由でＯＴＮフレームを第３の伝送装置４Ｃに伝送できる。
【００３０】
次に、図７は、パケットＮＷ２の受信パケットをＯＴＮパスで転送する際の動作の一例を示す説明図である。第１の伝送装置４Ａは、受信パケットの流量が所定閾値を超え、かつ、受信パケットの流量が設定可能なＯＴＮパスの空き容量未満の場合、受信パケット内の宛先ＭＡＣアドレスの転送先のパケットカード１１に対応するＯＴＮカード１２があるか否かを判定する。そして、第１の伝送装置４Ａは、転送先のＯＴＮカード１２がある場合、そのＯＴＮカード１２を通じて受信パケットの宛先である第３の伝送装置４ＣまでのＯＴＮパスの設定を要求すべく、第４の伝送装置４Ｄに対して受信パケット内の宛先ＭＡＣアドレスを挿入したパス設定を要求する。
【００３１】
第４の伝送装置４Ｄは、第１の伝送装置４Ａからのパス設定の要求を受信した場合、設定要求内の宛先ＭＡＣアドレスの転送先のパケットカード１１に対応するＯＴＮカード１２があるか否かを判定する。そして、第４の伝送装置４Ｄは、転送先のＯＴＮカード１２がある場合、そのＯＴＮカード１２を通じて、第５の伝送装置４Ｅに対して受信パケット内の宛先ＭＡＣアドレスを挿入したパス設定を要求する。
【００３２】
第５の伝送装置４Ｅは、第４の伝送装置４Ｄからのパス設定の要求を受信した場合、設定要求内の宛先ＭＡＣアドレスの転送先のパケットカード１１に対応するＯＴＮカード１２があるか否かを判定する。しかし、第５の伝送装置４Ｅは、転送先のＯＴＮカード１２がない場合、宛先ＭＡＣアドレスの転送先のパケットカード１１を通じて第３の伝送装置４Ｃとの間のパケットパスで接続する。
【００３３】
その結果、第１の伝送装置４Ａは、受信パケットを、第４の伝送装置４Ｄから第５の伝送装置４ＥまでのＯＴＮパスで転送する。更に、第５の伝送装置４Ｅは、受信パケットを第３の伝送装置４Ｃまでのパケットパスで伝送する。
【００３４】
図８は、パス確認処理に関わる各伝送装置４の処理動作の一例を示すシーケンスである。尚、図８に示すパス確認処理は、例えば、第１の伝送装置４Ａから第３の伝送装置４Ｃまでの設定可能なＯＴＮパスを確認する処理である。
【００３５】
図８において第１の伝送装置４Ａは、使用可能なパス帯域がある場合、転送先の設定可能なＯＴＮパスを確認すべく、転送先のＯＴＮカード１２を通じてパス確認要求を第４の伝送装置４Ｄに伝送する（ステップＳ１１１）。尚、パス確認要求は、リクエスト種別（Req  Type）、リクエスト番号(Req  Num)、ＯＤＵ種別(ODU  Type)、送信元ＭＡＣアドレス(Source  MAC)及び宛先ＭＡＣアドレス(Dest  MAC)を含むＯＴＮフレームである。リクエスト種別“０”はパス確認要求を示す。リクエスト番号は、リクエストを識別する番号である。ＯＤＵ種別は、希望の使用帯域種別、例えば、ＯＤＵ２等である。送信元ＭＡＣアドレスは、受信フレーム内の送信元を識別するＭＡＣアドレスである。宛先ＭＡＣアドレスは、受信フレームの宛先を識別するＭＡＣアドレスである。第１の伝送装置４Ａは、パス確認要求を第４の伝送装置４Ｄに伝送後、パス確認要求内のリクエスト番号、ＯＤＵ種別、送信元ＭＡＣアドレス及び宛先ＭＡＣアドレスを設定テーブル４３Ｃに記憶する（ステップＳ１１２）。
【００３６】
第４の伝送装置４Ｄは、第１の伝送装置４Ａからパス確認要求を受信した場合、使用可能なパス帯域があるか否かを判定する。第４の伝送装置４Ｄは、使用可能なパス帯域がある場合、転送先のＯＴＮカード１２を通じてパス確認要求を第５の伝送装置４Ｅに伝送する（ステップＳ１１３）。第４の伝送装置４Ｄは、パス確認要求内のリクエスト番号、ＯＤＵ種別、送信元ＭＡＣアドレス、宛先ＭＡＣアドレス及びパス確認要求の受信ポート番号を設定テーブル４３Ｃに記憶する（ステップＳ１１４）。
【００３７】
第５の伝送装置４Ｅは、第４の伝送装置４Ｄからパス確認要求を受信した場合、使用可能なパス帯域があるか否かを判定する。第５の伝送装置４Ｅは、使用可能なパス帯域がある場合、転送先のＯＴＮカード１２を通じてパス確認要求を第３の伝送装置４Ｃに伝送する（ステップＳ１１５）。第５の伝送装置４Ｅは、パス確認要求内のリクエスト番号、ＯＤＵ種別、送信元ＭＡＣアドレス、宛先ＭＡＣアドレス及びパス確認要求の受信ポート番号を設定テーブル４３Ｃに記憶する（ステップＳ１１６）。
【００３８】
第３の伝送装置４Ｃは、第５の伝送装置４Ｅからパス確認要求を受信した場合、パス確認要求内のリクエスト番号、ＯＤＵ種別、送信元ＭＡＣアドレス、宛先ＭＡＣアドレス及びパス確認要求の受信ポート番号を設定テーブル４３Ｃに記憶する（ステップＳ１１７）。第３の伝送装置４Ｃは、第１の伝送装置４ＡとのＯＴＮパスの確認応答を示すパス確認応答を第５の伝送装置４Ｅに伝送する（ステップＳ１１８）。尚、パス確認応答は、リクエスト種別と、リクエスト番号と、ＯＤＵ種別と、送信元ＭＡＣアドレス、宛先ＭＡＣアドレス及びパス確認の応答結果とを有する。リクエスト種別“１”はパス確認応答を示す。
【００３９】
第５の伝送装置４Ｅは、パス確認応答を受信した場合、パス確認応答を、パス確認要求を受信したポート経由で第４の伝送装置４Ｄに転送する（ステップＳ１１９）。更に、第５の伝送装置４Ｅは、第３の伝送装置４Ｃからパス確認応答を受信した場合、パス確認応答を受信したポートを識別するパス確認応答の受信ポート番号を設定テーブル４３Ｃに記憶する（ステップＳ１２０）。第４の伝送装置４Ｄは、パス確認応答を受信した場合、パス確認応答を、パス確認要求を受信したポート経由で第１の伝送装置４Ａに伝送する（ステップＳ１２１）。更に、第４の伝送装置４Ｄは、第５の伝送装置４Ｅからパス確認応答を受信した場合、パス確認応答を受信したポートを識別するパス確認応答の受信ポート番号を設定テーブル４３Ｃに記憶する（ステップＳ１２２）。更に、第１の伝送装置４Ａは、第４の伝送装置４Ｄからパス確認応答を受信した場合、パス確認応答を受信したポートを識別するパス確認応答の受信ポート番号を設定テーブル４３Ｃに記憶する（ステップＳ１２３）。
【００４０】
図８に示すパス確認処理は、伝送装置４間のパス確認要求に対する応答で伝送装置４間の設定可能なＯＴＮパスを確認できる。
【００４１】
図９は、パス設定処理に関わる各伝送装置４の処理動作の一例を示すシーケンスである。尚、図９に示すパス設定処理は、第１の伝送装置４Ａと第３の伝送装置４Ｃとの間でパス確認応答後にＯＴＮパスを設定する処理である。
【００４２】
第１の伝送装置４Ａは、パス確認に関わる、リクエスト番号、ＯＤＵ種別、送信元ＭＡＣアドレス、宛先ＭＡＣアドレス及びパス確認応答の受信ポート番号を設定テーブル４３Ｃに記憶している。第４の伝送装置４Ｄは、パス確認に関わる、リクエスト番号、ＯＤＵ種別、送信元ＭＡＣアドレス、宛先ＭＡＣアドレス、パス確認要求の受信ポート番号及びパス確認応答の受信ポート番号を設定テーブル４３Ｃに記憶している。第５の伝送装置４Ｅは、パス確認に関わる、リクエスト番号、ＯＤＵ種別、送信元ＭＡＣアドレス、宛先ＭＡＣアドレス、パス確認要求の受信ポート番号及びパス確認応答の受信ポート番号を設定テーブル４３Ｃに記憶している。第３の伝送装置４Ｃは、パス確認に関わる、リクエスト番号、ＯＤＵ種別、送信元ＭＡＣアドレス、宛先ＭＡＣアドレス及びパス確認要求の受信ポート番号を設定テーブル４３Ｃに記憶している。
【００４３】
図９において第１の伝送装置４Ａは、設定テーブル４３Ｃに記憶中のパス確認応答の受信ポート番号を参照し、そのポートを用いてパス設定要求を第４の伝送装置４Ｄに伝送する（ステップＳ１３１）。尚、パス設定要求は、リクエスト種別と、リクエスト番号と、ＯＤＵ種別と、送信元ＭＡＣアドレスと、宛先ＭＡＣアドレスとを有するＯＴＮフレームである。リクエスト種別“２”はパス設定要求を示す。
【００４４】
第４の伝送装置４Ｄは、第１の伝送装置４Ａからのパス設定要求を受信した場合、設定テーブル４３Ｃに記憶中のパス確認応答の受信ポート番号を参照し、そのポートを用いてパス設定要求を第５の伝送装置４Ｅに伝送する（ステップＳ１３２）。第５の伝送装置４Ｅは、第４の伝送装置４Ｄからパス設定要求を受信した場合、設定テーブル４３Ｃに記憶中のパス確認応答の受信ポート番号を参照し、そのポートを用いてパス設定要求を第３の伝送装置４Ｃに伝送する（ステップＳ１３３）。
【００４５】
第３の伝送装置４Ｃは、第５の伝送装置４Ｅからパス設定要求を受信した場合、設定テーブル４３Ｃに記憶中のパス確認要求の受信ポート番号を参照し、そのポートを用いてパス設定応答を第５の伝送装置４Ｅに伝送する（ステップＳ１３４）。第３の伝送装置４Ｃは、第５の伝送装置４Ｅと接続する第１のＯＴＮカード１２Ａと第２のパケットカード１１Ｂとの間のクロスコネクトを設定する（ステップＳ１３５）。尚、パス設定応答は、リクエスト種別と、リクエスト番号と、ＯＤＵ種別と、送信元ＭＡＣアドレスと、宛先ＭＡＣアドレスと、ＴＳ番号とを有するＯＴＮフレームである。リクエスト種別“３”はパス設定応答を示す。ＴＳ番号は、ＯＴＮパスに使用するＴＳ（Tributary  Slot）を識別する番号である。
【００４６】
第５の伝送装置４Ｅは、第３の伝送装置４Ｃからパス設定応答を受信した場合、設定テーブル４３Ｃに記憶中のパス確認要求の受信ポート番号を参照し、そのポートを用いてパス設定応答を第４の伝送装置４Ｄに伝送する（ステップＳ１３６）。第５の伝送装置４Ｅは、第３の伝送装置４Ｃと接続する第２のＯＴＮカード１２Ｂと第４の伝送装置４Ｄと接続する第１のＯＴＮカード１２Ａとの間のクロスコネクトを設定する（ステップＳ１３７）。第４の伝送装置４Ｄは、第５の伝送装置４Ｅからパス設定応答を受信した場合、設定テーブル４３Ｃに記憶中のパス確認要求の受信ポート番号を参照し、そのポートを用いてパス設定応答を第１の伝送装置４Ａに伝送する（ステップＳ１３８）。第４の伝送装置４Ｄは、第５の伝送装置４Ｅと接続する第２のＯＴＮカード１２Ｂと第１の伝送装置４Ａと接続する第１のＯＴＮカード１２Ａとの間のクロスコネクトを設定する（ステップＳ１３９）。更に、第１の伝送装置４Ａは、第４の伝送装置４Ｄからパス設定応答を受信した場合、第４の伝送装置４Ｃと接続する第２のＯＴＮカード１２Ｂと第１のパケットカード１１Ａとの間のクロスコネクトを設定し（ステップＳ１４０）、図９に示す処理動作を終了する。その結果、第１の伝送装置４Ａは、第３の伝送装置４Ｃとの間の各伝送装置４でクロスコネクトを設定して第３の伝送装置４Ｃとの間のＯＴＮパスを自動設定することになる。
【００４７】
図９に示すパス設定処理は、第１の伝送装置４Ａと第３の伝送装置４Ｃとの間でパス確認応答後にＯＴＮパスの設定要求に対する応答に応じてＯＴＮパスを自動設定できる。
【００４８】
図１０は、パス削除処理に関わる各伝送装置４の処理動作の一例を示すシーケンスである。尚、図１０に示すパス削除処理は、第１の伝送装置４Ａと第３の伝送装置４Ｃとの間の各クロスコネクトを削除して第１の伝送装置４Ａと第３の伝送装置４Ｃとの間のＯＴＮパスを削除する処理である。
【００４９】
図１０において第１の伝送装置４Ａは、例えば、受信パケットをＯＴＮパスで転送中に、受信フレームの流量が所定閾値を超えなくなると、設定中のＯＴＮパスのクロスコネクトを削除する（ステップＳ２１）。そして、第１の伝送装置４Ａは、第１のパケットカード１１Ａと第２のＯＴＮカード１２Ｂとの間のクロスコネクトを削除した場合、パス削除要求を第４の伝送装置４Ｄに伝送する（ステップＳ２２）。尚、パス削除要求は、リクエスト種別と、リクエスト番号と、送信元ＭＡＣアドレスと、宛先ＭＡＣアドレスとを有するＯＴＮフレームである。リクエスト種別“４”はパス削除要求を示す。
【００５０】
第４の伝送装置４Ｄは、第１の伝送装置４Ａからパス削除要求を受信した場合、第１のＯＴＮカード１２Ａと第２のＯＴＮカード１２Ｂとの間のクロスコネクトを削除し（ステップＳ２３）、パス削除要求を第５の伝送装置４Ｅに伝送する（ステップＳ２４）。第５の伝送装置４Ｅは、第４の伝送装置４Ｄからパス削除要求を受信した場合、第１のＯＴＮカード１２Ａと第２のＯＴＮカード１２Ｂとの間のクロスコネクトを削除し（ステップＳ２５）、パス削除要求を第３の伝送装置４Ｃに伝送する（ステップＳ２６）。第３の伝送装置４Ｃは、第５の伝送装置４Ｅからパス削除要求を受信した場合、第１のＯＴＮカード１２Ａと第２のパケットカード１１Ｂとの間のクロスコネクトを削除する（ステップＳ２７）。その結果、第１の伝送装置４Ａは、第３の伝送装置４Ｃとの間の各伝送装置４のクロスコネクトを削除して第３の伝送装置４Ｃとの間のＯＴＮパスを削除する。
【００５１】
図１０に示すパス削除処理は、伝送装置４間で設定中のＯＴＮパスの各クロスコネクトを順次削除してＯＴＮパスを削除できる。
【００５２】
図１１は、始点側設定処理に関わる伝送装置４の処理動作の一例を示すフローチャートである。尚、第１の伝送装置４Ａを始点とし、第３の伝送装置４Ｃを終点とする。図１１において伝送装置４内の制御部４４は、パケットカード１１を通じてパケットＮＷ２からフレームを受信したか否かを判定する（ステップＳ３１）。制御部４４は、フレームを受信した場合（ステップＳ３１肯定）、受信フレーム内の宛先ＭＡＣアドレス毎の受信パケットの流量を監視する（ステップＳ３２）。
【００５３】
制御部４４は、ＭＡＣテーブル４３Ａを参照し、受信パケットの宛先ＭＡＣアドレスに対応する転送先のパケットカード１１を抽出する（ステップＳ３３）。更に、制御部４４は、第１の判定部５１にて受信パケットの流量が所定閾値を超えたか否かを判定する（ステップＳ３４）。制御部４４は、受信パケットの流量が所定閾値を超えた場合（ステップＳ３４肯定）、変換テーブル４３Ｂを参照し、設定部５３にて転送先のパケットカード１１に対応した転送先のＯＴＮカード１２があるか否かを判定する（ステップＳ３５）。
【００５４】
制御部４４は、転送先のＯＴＮカード１２がある場合（ステップＳ３５肯定）、転送先のＯＴＮカード１２に関わる設定可能なＯＴＮパスの空き容量を確認する（ステップＳ３６）。制御部４４は、第２の判定部５２にて受信パケットの流量が転送先のＯＴＮカード１２に関わる設定可能なＯＴＮパスの空き容量未満であるか否かを判定する（ステップＳ３７）。
【００５５】
制御部４４は、受信パケットの流量が設定可能なＯＴＮパスの空き容量未満の場合（ステップＳ３７肯定）、受信パケットの転送先として設定可能なＯＴＮパスを確認すべく、パス確認処理を実行する（ステップＳ３９）。尚、パス確認処理は、設定可能なＯＴＮパスを確認すべく、パス確認要求を送信した後、そのパス確認要求に対するパス確認応答を受信した場合に、設定可能なＯＴＮパスを確認できる。例えば、図８に示すステップＳ１１１、Ｓ１１２、Ｓ１２１及びＳ１２３等の処理を実行する。
【００５６】
更に、制御部４４は、パス確認処理にて設定可能なＯＴＮパスを確認後、受信フレームの転送先として設定可能なＯＴＮパスを設定すべく、パス設定処理を実行し（ステップＳ４０）、図１１に示す処理動作を終了する。尚、パス設定処理は、パス確認済みの設定可能なＯＴＮパスを設定すべく、パス設定要求を送信した後、そのパス設定要求に対するパス設定応答を受信した場合に、ＯＴＮパスを設定できる。例えば、図９に示すステップＳ１３１、Ｓ１３８及びＳ１４０等の処理を実行する。その結果、伝送装置４は、ＯＴＮＮＷ３の設定中のＯＴＮパスで受信フレームを転送できる。
【００５７】
制御部４４は、パケットカード１１を通じてフレームを受信しなかった場合（ステップＳ３１否定）、図１１に示す処理動作を終了する。制御部４４は、受信パケットの流量が所定閾値を超えなかった場合（ステップＳ３４否定）、転送先のパケットカード１１に受信フレームを転送し（ステップＳ４１）、図１１に示す処理動作を終了する。その結果、伝送装置４は、パケットＮＷ２のパケットパスで受信フレームを伝送できる。
【００５８】
制御部４４は、転送先のパケットカード１１に対応した転送先ＯＴＮカードがない場合（ステップＳ３５否定）、転送先のパケットカード１１に受信フレームを転送すべく、ステップＳ４１に移行する。制御部４４は、受信パケットの流量が空き容量未満でない場合（ステップＳ３７否定）、転送先のパケットカード１１に受信フレームを転送すべく、ステップＳ４１に移行する。
【００５９】
図１１において伝送装置４は、受信パケットの流量が所定閾値を超え、受信パケットの宛先ＭＡＣアドレスのパケットカード１１に対応する転送先のＯＴＮカード１２があるか否かを判定する。伝送装置４は、転送先のＯＴＮカードがある場合、受信パケットの流量がＯＴＮパスの空き容量未満であるか否かを判定する。そして、伝送装置４は、受信パケットの流量がＯＴＮパスの空き容量未満の場合、転送先のＯＴＮカード１２を通じてＯＴＮパスを設定する。その結果、伝送装置４は、受信パケットの流量が所定閾値を超えた場合に、受信パケットをＯＴＮパスで転送できる。
【００６０】
伝送装置４は、受信パケットの宛先ＭＡＣアドレスのパケットカード１１に対応する転送先のＯＴＮカード１２がない場合、転送先のパケットカード１１を通じてパケットパスで受信パケットを伝送する。その結果、伝送装置４は、転送先のＯＴＮカード１２がない場合、受信パケットをパケットパスで伝送できる。
【００６１】
伝送装置４は、受信パケットの流量が所定閾値を超えていない場合、受信パケット内の宛先ＭＡＣアドレスに対応した転送先のパケットカード１１を通じて受信パケットを伝送する。その結果、伝送装置４は、受信パケットの流量が所定閾値を超えていない場合、受信パケットをパケットパスで伝送できる。
【００６２】
伝送装置４は、受信パケットの流量がＯＴＮパスの空き容量未満でない場合、転送先のパケットカード１１を通じて受信パケットを伝送する。その結果、伝送装置４は、受信パケットをパケットパスで伝送できる。
【００６３】
図１２は、始点側転送処理に関わる伝送装置４の処理動作の一例を示すフローチャートである。尚、説明の便宜上、伝送装置４は、受信パケットをＯＴＮパスで転送しているものとする。
【００６４】
図１２において伝送装置４内の制御部４４は、パケットカード１１を通じて受信フレームを受信したか否かを判定する（ステップＳ５１）。制御部４４は、受信フレームを受信した場合（ステップＳ５１肯定）、受信フレーム内の宛先ＭＡＣアドレス毎の受信パケットの流量を監視する（ステップＳ５２）。
【００６５】
制御部４４は、宛先ＭＡＣアドレス毎の受信パケットの流量が所定閾値未満であるか否かを判定する（ステップＳ５３）。制御部４４は、宛先ＭＡＣアドレス毎の受信パケットの流量が所定閾値未満でない場合（ステップＳ５３否定）、設定中のＯＴＮパスに関わる転送先のＯＴＮカード１２に受信パケットを転送し（ステップＳ５４）、図１２に示す処理動作を終了する。
【００６６】
制御部４４は、受信パケットの流量が所定閾値未満の場合（ステップＳ５３肯定）、ＭＡＣテーブル４３Ａを参照し、受信パケットの宛先ＭＡＣアドレスに対応した転送先のパケットカード１２に受信パケットを転送する（ステップＳ５５）。更に、制御部４４は、受信フレーム転送で設定したクロスコネクトを削除し（ステップＳ５６）、転送先のＯＴＮカード１２からパス削除要求を送信し（ステップＳ５７）、図１２に示す処理動作を終了する。制御部４４は、パケットカード１１を通じて受信フレームを受信しなかった場合（ステップＳ５１否定）、図１２に示す処理動作を終了する。
【００６７】
図１２において伝送装置４は、受信パケットを設定中のＯＴＮパスで転送中に、受信パケットの流量が所定閾値未満となった場合、設定中のＯＴＮパス内のクロスコネクトを削除する。そして、伝送装置４は、受信パケットを転送先のパケットカード１１を通じてパケットパスで伝送する。その結果、伝送装置４は、受信パケットの流量が所定閾値未満になると、受信パケットを通常のパケットパスに切替えて伝送するため、ＯＴＮＮＷ３へのトラフィックを軽減できる。
【００６８】
伝送装置４は、受信パケットを設定中のＯＴＮパスで転送中に、受信パケットの流量が所定閾値未満にならなかった場合、設定中のＯＴＮパスで受信パケットを転送する。その結果、伝送装置４は、設定中のＯＴＮパスで継続して受信パスを転送できる。
【００６９】
図１３は、中継点側設定処理に関わる各伝送装置４の処理動作の一例を示すフローチャートである。尚、第１の伝送装置４Ａを始点とし、第３の伝送装置４Ｃを終点とした場合、中継点の伝送装置４は、例えば、第４の伝送装置４Ｄ及び第５の伝送装置４Ｅである。
【００７０】
図１３において伝送装置４内の制御部４４は、ＯＴＮカード１２からパス確認要求を受信したか否かを判定する（ステップＳ６１）。制御部４４は、パス確認要求を受信した場合（ステップＳ６１肯定）、パス確認要求内の宛先ＭＡＣアドレスを抽出する（ステップＳ６２）。
【００７１】
制御部４４は、ＭＡＣテーブル４３Ａを参照し、宛先ＭＡＣアドレスに対応する転送先のパケットカード１１を抽出する（ステップＳ６３）。制御部４４は、変換テーブル４３Ｂを参照し、抽出した転送先のパケットカード１１に対応する転送先のＯＴＮカード１２があるか否かを判定する（ステップＳ６４）。
【００７２】
制御部４４は、転送先のパケットカード１１に対応する転送先のＯＴＮカード１２がある場合（ステップＳ６４肯定）、転送先のＯＴＮカード１２に関わるＯＴＮパスの空き容量を確認する（ステップＳ６５）。制御部４４は、受信パケットの流量が設定可能なＯＴＮパスの空き容量未満であるか否かを判定する（ステップＳ６６）。
【００７３】
制御部４４は、受信パケットの流量が設定可能なＯＴＮパスの空き容量未満の場合（ステップＳ６６肯定）、設定可能なＯＴＮパスを確認すべく、パス確認処理を実行する（ステップＳ６７）。尚、パス確認処理は、設定可能なＯＴＮパスを確認すべく、パス確認要求を送信した後、そのパス確認要求に対するパス確認応答を受信した場合に、設定可能なＯＴＮパスを確認できる。例えば、図８に示すステップＳ１１３、Ｓ１１４、Ｓ１１９及びＳ１２２等の処理を実行する。
【００７４】
制御部４４は、パス確認処理にて設定可能なＯＴＮパスを確認後、受信フレームの転送先として設定可能なＯＴＮパスを設定すべく、パス設定処理を実行し（ステップＳ６８）、図１３に示す処理動作を終了する。尚、パス設定処理は、パス確認済みの設定可能なＯＴＮパスを設定すべく、パス設定要求を送信した後、そのパス設定要求に対するパス設定応答を受信した場合に、ＯＴＮパスを設定できる。例えば、図９に示すステップＳ１３２、Ｓ１３６及びＳ１３９等の処理を実行する。その結果、伝送装置４は、ＯＴＮＮＷ３の設定中のＯＴＮパスで受信フレームを転送できる。
【００７５】
制御部４４は、転送先のパケットカード１１に対応する転送先のＯＴＮカード１２がない場合（ステップＳ６４否定）、パス設定要求を受信したＯＴＮカード１２と転送先パケットカード１１とを接続する（ステップＳ６９）。更に、制御部４４は、パス設定応答内にＴＳ番号を設定し、パス設定要求を受信したＯＴＮカード１２経由でパス設定応答を送信し（ステップＳ７０）、図１３に示す処理動作を終了する。
【００７６】
制御部４４は、空き容量が受信フレームの流量以上でない場合（ステップＳ６６否定）、パス設定要求を受信したＯＴＮカード１２と転送先パケットカード１１とを接続すべく、ステップＳ６９に移行する。
【００７７】
制御部４４は、ＯＴＮカード１２からパス設定要求を受信しなかった場合（ステップＳ６１否定）、ＯＴＮカード１２からパス削除要求を受信したか否かを判定する（ステップＳ７１）。制御部４４は、パス削除要求を受信した場合（ステップＳ７１肯定）、パス削除要求内のＭＡＣアドレスを抽出する（ステップＳ７２）。更に、制御部４４は、ＭＡＣテーブル４３Ａを参照し、パス削除要求内のＭＡＣアドレスに対応する転送先のパケットカード１１を抽出する（ステップＳ７３）。
【００７８】
制御部４４は、パケットカード１１と転送先のパケットカード１１とを接続し（ステップＳ７４）、クロスコネクトを削除する（ステップＳ７５）。そして、制御部４４は、クロスコネクト削除前に設定していたＯＴＮカード１２からパス削除要求を送信し（ステップＳ７６）、図１３に示す処理動作を終了する。制御部４４は、パス削除要求を受信しなかった場合（ステップＳ７１否定）、図１３に示す処理動作を終了する。
【００７９】
図１３において伝送装置４は、パス確認要求を受信した場合、パス確認要求内の受信パケットの宛先ＭＡＣアドレスのパケットカード１１に対応する転送先のＯＴＮカード１２があるか否かを判定する。伝送装置４は、転送先のＯＴＮカード１２がある場合、受信パケットの流量が設定可能なＯＴＮパスの空き容量未満であるか否かを判定する。そして、伝送装置４は、受信パケットの流量が設定可能なＯＴＮパスの空き容量未満の場合、転送先のＯＴＮカード１２を通じて設定可能なＯＴＮパスを確認する。そして、伝送装置４は、設定可能なＯＴＮパスのパス設定要求に対してパス設定応答を受信した場合、ＯＴＮパスを設定する。その結果、伝送装置４は、受信パケットを転送するＯＴＮパスを設定できる。
【００８０】
伝送装置４は、受信パケットの宛先ＭＡＣアドレスのパケットカード１１に対応する転送先のＯＴＮカード１２がない場合、転送先としてパケットカード１１と接続する。その結果、伝送装置４は、転送先のＯＴＮカード１２がない場合、ＯＴＮパスで受信した受信パケットをパケットパスで中継できる。
【００８１】
伝送装置４は、受信パケットの流量が設定可能なＯＴＮパスの空き容量未満でない場合、転送先としてパケットカード１１と接続する。その結果、伝送装置４は、ＯＴＮパスで受信した受信パケットをパケットパスで転送先に中継できる。
【００８２】
図１４は、終点側設定処理に関わる伝送装置４の処理動作の一例を示すフローチャートである。尚、終点の伝送装置４は、例えば、第３の伝送装置４Ｃとする。
【００８３】
図１４において伝送装置４内の制御部４４は、ＯＴＮカード１２からパス設定要求を受信したか否かを判定する（ステップＳ９１）。制御部４４は、パス設定要求を受信した場合（ステップＳ９１肯定）、パス設定要求内の宛先ＭＡＣアドレスを抽出する（ステップＳ９２）。
【００８４】
制御部４４は、ＭＡＣテーブル４３Ａを参照し、宛先ＭＡＣアドレスに対応する転送先のパケットカード１１を抽出する（ステップＳ９３）。制御部４４は、パス設定要求を受信したＯＴＮカード１２と転送先のパケットカード１１とを接続し（ステップＳ９４）、ＯＴＮパスのＴＳ番号を設定する（ステップＳ９５）。
【００８５】
更に、制御部４４は、設定ＴＳ番号を用いてクロスコネクトを設定し（ステップＳ９６）、パス設定応答内にＴＳ番号を設定し、パス設定要求を受信したＯＴＮカード１２からパス設定応答を送信し（ステップＳ９７）、図１４に示す処理動作を終了する。
【００８６】
制御部４４は、ＯＴＮカード１２からパス設定要求を受信しなかった場合（ステップＳ９１否定）、ＯＴＮカード１２からパス削除要求を受信したか否かを判定する（ステップＳ９８）。制御部４４は、パス削除要求を受信した場合（ステップＳ９８肯定）、パス削除要求内のＭＡＣアドレスを抽出する（ステップＳ９９）。更に、制御部４４は、ＭＡＣテーブル４３Ａを参照し、パス削除要求内のＭＡＣアドレスに対応する転送先のパケットカード１１を抽出する（ステップＳ１００）。
【００８７】
制御部４４は、パケットカード１１と転送先のパケット１１とを接続し（ステップＳ１０１）、クロスコネクトを削除し（ステップＳ１０２）、図１４に示す処理動作を終了する。制御部４４は、ＯＴＮカード１２からパス削除要求を受信しなかった場合（ステップＳ９８否定）、図１４に示す処理動作を終了する。
【００８８】
図１４において終点の伝送装置４は、パス設定要求を受信した場合、パス設定要求に応じてクロスコネクトを設定し、パス設定応答を返信する。終点の伝送装置４は、対向側の伝送装置４との間でクロスコネクトを順次設定し、ＯＴＮパスを設定する。その結果、伝送装置４は、ＯＴＮパスを自動設定できる。
【００８９】
終点の伝送装置４は、パス削除要求を受信した場合、パス削除要求に応じて設定中のクロスコネクトを削除する。その結果、伝送装置４は、設定中のＯＴＮパスを削除できる。
【００９０】
本実施例の伝送装置４は、受信パケットの流量が所定閾値を超えた場合に、受信パケット内の宛先ＭＡＣアドレスに基づき、受信パケットを転送すべく、ＯＴＮパスを設定する。その結果、伝送装置４は、受信パケットの流量が増加した場合でも、ＯＴＮパスを自動設定し、受信パケットをＯＴＮパスで転送できる。例えば、パケットＮＷ２側のパスが不足している場合に、その容量不足分をＯＴＮパスで補える。しかも、伝送システム１内の伝送装置４が増加した場合でも、従来技術に比較してＯＴＮパス自動設定の処理負荷を軽減できる。
【００９１】
伝送装置４は、受信パケット内の宛先ＭＡＣアドレスをＯＴＮフレーム内に挿入し、ＯＴＮフレーム内の宛先ＭＡＣアドレスに基づき、ＯＴＮパスの設定を要求し、設定要求に対応する応答に応じてＯＴＮパスを設定する。その結果、伝送装置４は、受信パケット内の宛先ＭＡＣアドレスを利用してＯＴＮパスを設定できる。
【００９２】
伝送装置４は、受信パケットの流量が所定閾値を超え、かつ、受信パケットの流量がＯＴＮパスの空き容量未満の場合に、受信パケット内の宛先ＭＡＣアドレスに基づき、受信パケットを転送すべく、ＯＴＮパスを設定する。その結果、伝送装置４は、受信パケットをＯＴＮパスで転送できる。
【００９３】
伝送装置４は、受信フレーム内の宛先ＭＡＣアドレス毎に受信パケットの流量を測定する。その結果、伝送装置４は、受信パケット毎の流量を認識できる。
【００９４】
伝送装置４は、受信パケット内の宛先ＭＡＣアドレスに基づき、受信パケットを転送するＯＴＮパスを設定中に、パケットカード１１にて受信パケットの流量が所定閾値を超えなくなった場合に、ＯＴＮパスからパケットパスに切り替える。その結果、伝送装置４は、ＯＴＮＮＷ３へのトラフィック量を軽減できる。
【００９５】
尚、上記実施例では、受信パケットの流量が所定閾値を超えると、受信パケット内の宛先ＭＡＣアドレスの転送先のパケットカード１１に対応する転送先のＯＴＮカード１２を抽出し、抽出した転送先のＯＴＮカード１１を通じてＯＴＮパスを自動設定する。ＯＴＮパスを自動設定する方法としては、例えば、Neighbor  Discovery機能、Topology  Table機能、Path  Computation機能及びSignaling機能等のＧＭＰＬＳを利用してＯＴＮパスを自動設定できる。Neighbor  Discovery機能は、例えば、ＬＭＰプロトコルを利用してＯＴＮＮＷ３内のリンクを認識する機能である。Topology  Table機能は、例えば、ＯＳＰＦ−ＴＥプロトコルを利用してＯＴＮＮＷ３内のトポロジ情報を生成する機能である。Path  Computation機能は、例えば、ＯＳＰＦ−ＴＥで作成したトポロジ情報及びＣＳＰＦ（Constraint  Shortest  Path  Fast）アルゴリズムを使用して宛先までの最短経路を探索する機能である。Signaling機能は、ＲＳＶＰ−ＴＥプロトコルを使用して最短経路情報からエンドトゥエンドのＯＴＮパスを設定する機能である。
【００９６】
しかしながら、ＧＭＰＬＳを使用してＯＴＮパスを自動設定できるものの、ＯＳＰＦ−ＴＥでＯＴＮＮＷ３全体のトポロジを認識した上で最短経路を計算する必要がある。ＯＴＮＮＷ３内の全ての伝送装置４がＯＴＮＮＷ３内の全リンクのトポロジを認識する必要があるため、リアルタイムにトポロジ情報を認識するにはＯＳＰＦ−ＴＥプロトコルの処理負荷が大きくなる。しかも、ＯＴＮＮＷ３内の伝送装置４の数が増えるに連れて、ＯＳＰＦ−ＴＥの処理負荷及び最短経路の処理負荷が大きくなる。これに対して、本実施例では、ＧＭＰＬＳを使用しなくても、ＯＴＮパスを自動設定できるため、自動設定に要する処理負担が軽減できる。
【００９７】
上記実施例では、パケットＮＷ２とＯＴＮＮＷ３とを同一トポロジで構成する伝送システム１を例示したが、同一トポロジで構成されなくても、ＯＴＮパスを自動設定できる。
【００９８】
上記実施例では、パケットＮＷ２としてＥｔｈｅｒｎｅｔ（登録商標）のＮＷを例示したが、これらに限定されるものではなく、パケット内に宛先ＭＡＣアドレスを有するＮＷであれば適用可能である。
【００９９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１００】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１０１】
１  伝送システム
２  パケットＮＷ
３  ＯＴＮＮＷ
４  伝送装置
１１  パケットカード
１１Ａ  第１のパケットカード
１１Ｂ  第２のパケットカード
１２  ＯＴＮカード
５１  第１の判定部
５２  第２の判定部
５３  設定部
【図１】
2017017627.tif 000003
【図２】
2017017627.tif 000004
【図３】
2017017627.tif 000005
【図４】
2017017627.tif 000006
【図５】
2017017627.tif 000007
【図６】
2017017627.tif 000008
【図７】
2017017627.tif 000009
【図８】
2017017627.tif 000010
【図９】
2017017627.tif 000011
【図１０】
2017017627.tif 000012
【図１１】
2017017627.tif 000013
【図１２】
2017017627.tif 000014
【図１３】
2017017627.tif 000015
【図１４】
2017017627.tif 000016